(57)【要約】【課題】圃場がどのような状態であっても旋回内側の後輪による圃場の荒らしが軽減できる乗用型作業機などの走行車両を提供することである。【解決手段】ステアリング機構（８６Ｉ、１８０、２１７など）に連動して旋回内側の後輪１１の駆動を断続的に入／切する継続的入り切り制御機能（Ａ１）と旋回内側の後輪１１の駆動を断続的に入／切する断続的入り切り制御機能（Ｂ１）とを備え、且つ車体２の旋回時において、昇降リンクセンサ４８により測定される圃場深さに応じて継続的入り切り制御機能（Ａ１）又は断続的入り切り制御機能（Ｂ１）を選択する処理を行う入り切り制御選択機能を有する制御装置１６３を設ける。圃場の状態に合わせて継続的入り切り制御機能（Ａ１）又は断続的入り切り制御機能（Ｂ１）が選択されるため、圃場深さに応じた作業車両の走行旋回の細かい制御が可能となる。【選択図】図１６
2010094060.tif 000002
【特許請求の範囲】
【請求項１】
走行車体（２）と、
該走行車体（２）の前進方向に向かって左右にそれぞれ設けられた前輪（１０）及び後輪（１１）と、
前記走行車体（２）上に設けられ、前輪（１０）の操向方向を決める操向手段（３４）と、
該操向手段（３４）の操作に連動して、前記前輪（１０）の向きを変更できるステアリング機構（８６Ｉ、１８０、２１７など）と、
左右の後輪（１１）の回転数を検出する左右各々の回転数検出手段（２０５）と、
前記走行車体（２）の前進方向に向かって後側に昇降リンク装置（３）を介して昇降可能に装着された苗植付部（４）と、
前記昇降リンク装置（３）に設けられ、圃場の耕盤の深さを測定するための圃場深さ測定手段（４８）と、
前記ステアリング機構（８６Ｉ、１８０、２１７など）に連動して旋回内側の後輪（１１）の駆動を継続的に入り又は切りにする継続的入り切り制御機能（Ａ１）と旋回内側の後輪（１１）の駆動を断続的に入り切りする断続的入り切り制御機能（Ｂ１）とを備え、且つ走行車体（２）の旋回時において、圃場深さ測定手段（４８）により測定される圃場深さに応じて継続的入り切り制御機能（Ａ１）又は断続的入り切り制御機能（Ｂ１）を選択する処理を行う入り切り制御選択機能を有する制御装置（１６３）と
を設けたことを特徴とする走行車両。
【請求項２】
前記断続的入り切り制御機能（Ｂ１）は、回転数検出手段（２０５）により検出される旋回外側の後輪（１１）の回転数に応じて旋回内側の後輪（１１）の駆動を断続的に入り切りする構成とし、更に、前記制御装置（１６３）は、前記入り切り制御選択機能により断続的入り切り制御機能（Ｂ１）が選択された場合に、前記圃場深さ測定手段（４８）により測定される圃場深さが深いほど、前記断続的入り切り制御機能（Ｂ１）の旋回内側の後輪（１１）の駆動の入り時間を長くする処理を行う機能を有することを特徴とする請求項１記載の走行車両。
【発明の詳細な説明】
【技術分野】
【０００１】
本発明は、作業車両に苗植え付け装置などの作業装置を連結した乗用型作業機などの走行車両に関するものである。
【背景技術】
【０００２】
作業車両の進行方向左右に配置される車輪にサイドクラッチやサイドブレーキを装備し、前輪を設定角度以上に操向させる作動に連動して旋回内側となる後輪の推進力を抑制させて左右後輪の推進力の差によって機体を旋回させることで、小回り旋回を行うようにした乗用型作業機などがある。これは、操向ハンドルの操作で、該ハンドルの操作に対応した車輪のサイドクラッチやサイドブレーキなどを入切して旋回させるものである。
【０００３】
下記特許文献１には、左右の後輪への伝動を各別に断続するサイドクラッチと、前輪が直進姿勢から設定角度以上に操向されると旋回内側のサイドクラッチを切り操作する機械式の自動操向機構を備えており、前輪が直進姿勢から設定角度以上に操向されている状態が検出されると、旋回内側の後輪に対するサイドクラッチをアクチュエータによって自動的かつ間欠的に入り切り制御する構成が開示されている。
【特許文献１】特開２００４−１９６０００号公報
【発明の開示】
【発明が解決しようとする課題】
【０００４】
特許文献１に開示された構成によれば、自動操向機構が作動して旋回内側の後輪に対するサイドクラッチが切り操作される状態になると、自動的にアクチュエータが作動制御されてサイドクラッチを間欠的に入り切り操作することにより、旋回内側の後輪は遊転状態と駆動状態に繰り返し切り換えられる。したがって、前輪を大きく操向操作するだけで小回り旋回を行うことのできる自動操向機構の特徴を活かしながら、旋回内側の後輪による圃場の荒らしを軽減できるようになる。
【０００５】
しかし、上記構成では、前輪が直進姿勢から設定角度以上に操向されると一定の周期で所定時間ずつ間欠的に通電制御されるもので、前輪の操向角度には対応しているものの、設定角度以上に操向されると、後は自動的に入り切り状態となる画一的な制御である。特許文献１には、前輪の操向角度とサイドクラッチの切り時間について、いくつかパターンが例示されているが、前輪の操向角度とサイドクラッチとの関係しか開示されていない。  作業車両の走行状態は圃場の状態によっても変わるため、前輪の操向角度に対応するサイドクラッチの入り切り制御のみでは、旋回内側の後輪による圃場の荒らしの軽減は未だ不十分である。  
そこで、本発明の課題は、圃場がどのような状態であっても旋回内側の後輪による圃場の荒らしが軽減できる乗用型作業機などの走行車両を提供することである。
【課題を解決するための手段】
【０００６】
本発明の上記課題は次の解決手段で解決される。  
請求項１記載の発明は、走行車体（２）と、該走行車体（２）の前進方向に向かって左右にそれぞれ設けられた前輪（１０）及び後輪（１１）と、前記走行車体（２）上に設けられ、前輪（１０）の操向方向を決める操向手段（３４）と、該操向手段（３４）の操作に連動して、前記前輪（１０）の向きを変更できるステアリング機構（８６Ｉ、１８０、２１７など）と、左右の後輪（１１）の回転数を検出する左右各々の回転数検出手段（２０５）と、前記走行車体（２）の前進方向に向かって後側に昇降リンク装置（３）を介して昇降可能に装着された苗植付部（４）と、前記昇降リンク装置（３）に設けられ、圃場の耕盤の深さを測定するための圃場深さ測定手段（４８）と、前記ステアリング機構（８６Ｉ、１８０、２１７など）に連動して旋回内側の後輪（１１）の駆動を継続的に入り又は切りにする継続的入り切り制御機能（Ａ１）と旋回内側の後輪（１１）の駆動を断続的に入り切りする断続的入り切り制御機能（Ｂ１）とを備え、且つ走行車体（２）の旋回時において、圃場深さ測定手段（４８）により測定される圃場深さに応じて継続的入り切り制御機能（Ａ１）又は断続的入り切り制御機能（Ｂ１）を選択する処理を行う入り切り制御選択機能を有する制御装置（１６３）とを設けた走行車両である。
【０００７】
請求項２記載の発明は、前記断続的入り切り制御機能（Ｂ１）は、回転数検出手段（２０５）により検出される旋回外側の後輪（１１）の回転数に応じて旋回内側の後輪（１１）の駆動を断続的に入り切りする構成とし、更に、前記制御装置（１６３）は、前記入り切り制御選択機能により断続的入り切り制御機能（Ｂ１）が選択された場合に、前記圃場深さ測定手段（４８）により測定される圃場深さが深いほど、前記断続的入り切り制御機能（Ｂ１）の旋回内側の後輪（１１）の駆動の入り時間を長くする処理を行う機能を有する請求項１記載の走行車両である。
【発明の効果】
【０００８】
請求項１記載の発明によれば、制御装置（１６３）により、走行車体（２）の旋回時において、圃場深さ測定手段（４８）により測定される圃場深さに応じて継続的入り切り制御機能（Ａ１）又は断続的入り切り制御機能（Ｂ１）を選択する処理が行われるため、圃場深さに応じた作業車両の走行旋回の細かい制御が可能となる。  
例えば、圃場の深さが浅い場合には、継続的入り切り制御機能（Ａ１）を機能させて小回り旋回を可能とし、圃場の深さが深い場合には、断続的入り切り制御機能（Ｂ１）を機能させることで旋回内側の後輪（１１）を適宜駆動回転させることにより、旋回内側の後輪（１１）が移動して圃場の同じ箇所で操向しにくくなり、旋回半径を大きくとって圃場の荒らしを軽減できる。  
したがって、このように圃場深さに応じた継続的入り切り制御機能（Ａ１）又は断続的入り切り制御機能（Ｂ１）が選択されることで、旋回内側の後輪による圃場の荒らしの軽減を図ることができる。
【０００９】
また、継続的入り切り制御機能（Ａ１）又は断続的入り切り制御機能（Ｂ１）の選択は、圃場深さ測定手段（４８）により測定される圃場深さに応じて制御装置（１６３）によって自動的に行われるため、オペレータが継続的入り切り制御機能（Ａ１）又は断続的入り切り制御機能（Ｂ１）を選択操作する必要もなく、オペレータの負担軽減が図れる。      請求項２記載の発明によれば、請求項１記載の発明の効果に加えて、圃場の深さが深い旋回では、前記断続的入り切り制御機能（Ｂ１）の後輪（１１）の駆動の入り時間を長くして、後輪（１１）が制動される時間を長くすることで、より旋回半径を大きくとることができ、旋回内側の後輪（１１）が一箇所に停滞しにくく移動し易くなり、圃場の一箇所をひどく荒らすことがなくなる。
【００１０】
一方、圃場の深さが浅い場合には、前記断続的入り切り制御機能（Ｂ１）の後輪（１１）の駆動の入り時間を短くすることで、制動される時間を短くして小回り旋回が可能となり、作業性が損なわれない。  
したがって、このように圃場深さに応じたきめの細かい制御が可能となる。
【発明を実施するための最良の形態】
【００１１】
以下、図面に基づき、本発明の好ましい実施の形態について説明する。  
図１及び図２は本発明を用いた一実施例である粉粒体繰出し装置として施肥装置を装着した乗用型田植機の側面図と平面図である。この乗用型田植機１は、走行車体２の後側に昇降リンク装置３を介して苗植付部４が昇降可能に装着され、走行車体２の後部上側に施肥装置５の本体部分が設けられている。
【００１２】
走行車体２は、駆動輪である左右一対の前輪１０，１０及び左右一対の後輪１１，１１を備えた四輪駆動車両であって、機体の前部にミッションケース１２が配置され、そのミッションケース１２の左右側方に前輪ファイナルケース１３，１３が設けられ、該左右前輪ファイナルケース１３，１３の操向方向を変更可能な各々の前輪支持部から外向きに突出する左右前輪車軸（前輪アクスル）１４（図４）に左右前輪１０，１０が各々取り付けられている。また、ミッションケース１２の背面部にメインフレーム１５の前端部が固着されており、そのメインフレーム１５の後端左右中央部に前後水平に設けた後輪ローリング軸を支点にして後輪ギヤケース１８，１８がローリング自在に支持され、その後輪ギヤケース１８，１８から外向きに突出する後輪車軸に後輪１１，１１が取り付けられている。
【００１３】
エンジン２０はメインフレーム１５の上に搭載されており、該エンジン２０の回転動力が、ベルト伝動装置２１及び油圧式無段変速装置２３を介してミッションケース１２に伝達される。変速レバー１６などにより決められるミッションケース１２に伝達された回転動力は、該ケース１２内のトランスミッションにより変速された後、走行動力と外部取出動力に分離して取り出される。そして、走行動力は、一部が前輪ファイナルケース１３，１３に伝達されて前輪１０，１０を駆動すると共に、残りが後輪ギヤケース１８，１８に伝達されて後輪１１，１１を駆動する。また、外部取出動力は、走行車体２の後部に設けた植付クラッチケース２５に伝達され、それから植付伝動軸２６によって苗植付部４へ伝動されるとともに、施肥伝動機構２８によって施肥装置５へ伝動される。
【００１４】
エンジン２０の上部はエンジンカバー３０で覆われており、その上に座席３１が設置されている。座席３１の前方には各種操作機構を内蔵するフロントカバー３２があり、その上方に前輪１０，１０を操向操作するハンドル３４が設けられている。エンジンカバー３０及びフロントカバー３２の下端左右両側は水平状のフロアステップ３５になっている。フロアステップ３５は一部格子状になっており（図２参照）、該ステップ３５を歩く作業者の靴についた泥が圃場に落下するようになっている。フロアステップ３５上の後部は、後輪フェンダを兼ねるリヤステップ３６となっている。
【００１５】
また、走行車体２の前部左右両側には、補給用の苗を載せておく予備苗載台３８，３８が機体よりも側方に張り出す位置と内側に収納した位置とに回動可能に設けられている。昇降リンク装置３は平行リンク構成であって、１本の上リンク４０と左右一対の下リンク４１，４１を備えている。これらリンク４０，４１，４１は、その基部側がメインフレーム１５の後端部に立設した背面視門形のリンクベースフレーム４２に回動自在に取り付けられ、その先端側に縦リンク４３が連結されている。そして、縦リンク４３の下端部に苗植付部４に回転自在に支承された連結軸４４が挿入連結され、連結軸４４を中心として苗植付部４がローリング自在に連結されている。メインフレーム１５に固着した支持部材と上リンク４０に一体形成したスイングアーム（図示せず）の先端部との間に昇降油圧シリンダー４６が設けられており、該シリンダ４６を油圧で伸縮させることにより、上リンク４０が上下に回動し、苗植付部４がほぼ一定姿勢のまま昇降する。
【００１６】
苗植付部４は８条植の構成で、フレームを兼ねる苗植付伝動ケース５０、マット苗を載せて左右往復動し苗を一株分づつ各条の苗取出口５１ａ、…に供給するとともに横一列分の苗を全て苗取出口５１ａ、…に供給すると苗送りベルト５１ｂ、…により苗を下方に移送する苗載台５１、苗取出口５１ａ、…に供給された苗を圃場に植付ける苗植付装置５２、…、次行程における機体進路を表土面に線引きする左右一対の線引きマーカ（図示せず）等を備えている。苗植付部４の下部には中央にセンターフロート５５、その左右両側にミドルフロート５７とサイドフロート５６がそれぞれ設けられている。これらフロート（センターフロート５５、サイドフロート５６、ミドルフロート５７）を圃場の泥面に接地させた状態で機体を進行させると、フロート５５〜５７が泥面を整地しつつ滑走し、その整地跡に苗植付装置５２、…により苗が植付けられる。各フロート（センターフロート５５、サイドフロート５６、ミドルフロート５７）は圃場表土面の凹凸に応じて前端側が上下動するように回動自在に取り付けられており、植付作業時にはセンターフロート５５の前部の上下動が迎角制御センサ（図示せず）により検出され、その検出結果に応じ前記昇降油圧シリンダー４６を制御する油圧バルブ４７（図１７）を切り替えて苗植付部４を昇降させることにより、苗の植付深さを常に一定に維持する。
【００１７】
施肥装置５は、肥料ホッパ６０に貯留されている粒状の肥料を繰出部６１、…によって一定量づつ繰り出し、その肥料を施肥ホース６２、…でフロート（センターフロート５５、サイドフロート５６、ミドルフロート５７）の左右両側に取り付けた施肥ガイド（図示せず）、…まで導き、施肥ガイド、…の前側に設けた作溝体（図示せず）、…によって苗植付条の側部近傍に形成される施肥構内に落とし込むようになっている。ブロア用電動モータ５３で駆動するブロア５８で発生させたエアが、左右方向に長いエアチャンバ５９を経由して施肥ホース６２、…に吹き込まれ、施肥ホース６２、…内の肥料を風圧で強制的に搬送するようになっている。
【００１８】
苗植付部４には整地装置の一例であるロータ２７（２７ａ，２７ｂ）が取り付けられている。また、苗載台５１は苗植付部４の全体を支持する左右方向と上下方向に幅一杯の矩形の支持枠体６５の支持ローラ６５ａをレールとして左右方向にスライドする構成である。
【００１９】
ロータ２７は、次のような支持構造に支持されている。すなわち苗載台５１の前記支持枠体６５の両側辺部材６５ｂに上端を回動自在に支持された梁部材６６と該梁部材６６の両端に固着した支持アーム６７と該支持アーム６７に回動自在に取り付けられたロータ支持フレーム６８が設けられ、該ロータ支持フレーム６８の下端にはロータ２７（サイドロータ２７ａとセンタロータ２７ｂ）の駆動軸７０（７０ａ，７０ｂ）が取り付けられている。また該ロータ支持フレーム６８の下端部近くは苗植付伝動ケース５０に回動自在に取り付けられた連結部材７１に連結している。
【００２０】
フロート（センターフロート５５、サイドフロート５６、ミドルフロート５７）との配置位置の関係でセンタフロート５５の前方にあるロータ２７ｂはサイドフロート５６とミドルフロート５７の前方にある各ロータ２７ａより前方に配置されている。そのためロータ２７ａの駆動軸７０ａへの動力は後輪１１のギアケース１８内のギアから伝達され、ロータ２７ｂの駆動軸７０ｂへは両方のロータ２７ａ，２７ａの駆動軸７０ａ，７０ａの車体内側の端部からそれぞれ動力が伝達される。
【００２１】
また、ロータ２７ｂは梁部材６６に上端部が支持された一対のリンク部材７６，７７によりスプリング７８を介して吊り下げられている。  
また、ロータ上下位置調節レバー８１の下端部には折曲片８２が固着されており、該折曲片８２は支持枠体６５に回動自在に支持されている。そして前記レバー８１が車両の左右方向に回動操作されると、支持枠体６５の両側辺部材６５ｂに回動自在に支持された梁部材６６に固着支持された突出部６６ａの近くを折曲片８２が上下に回動する。折曲片８２は前記突出部６６ａの下方を係止しているので、該突出部６６ａがレバー８１の機体右方向の回動で、上向きに梁部材６６を中心として回動する。該突出部６６ａの前記回動により第一リンク部材７６の梁部材６６との連結部と反対側の端部も梁部材６６を中心として上向きに回動する。この第一リンク部材７６の上方への回動により第二リンク部材７７とスプリング７８を介してロータ２７ｂを上方に上げることができる。ロータ２７ｂを上方に移動させると、駆動軸７０ｂと駆動軸７０ａを介してロータ２７ａも同時に上方に移動する。
【００２２】
なお、ロータ上下位置調節レバー８１は車体２のほぼ中央部に設けているので、ロータ２７ａ，２７ｂの上下動を行う場合に左右のバランスを取りやすい。  
また、苗植付部４を圃場に下げたときに、苗植付部４を水平位置に戻すケーブル４５をセンタロータ２７ｂのリンク部材７６，７７とスプリング７８等からなる引上げスプリング部と油圧ピストン４６と連動させた。
【００２３】
このように、センタロータ２７ｂのスプリング７８等によるスイング機構の他にケーブル４５を設けることで苗植付部４を上昇位置から下降させるごとにセンタロータ２７ｂを水平位置に戻すことができ、センタロータ２７ｂの保持位置を安定化させることができる。  
エンジン２０の回転動力は、ベルト伝動装置２１などを介して油圧式無段変速装置２３に伝えられ、油圧式無段変速装置２３からの出力はベルト（図示せず）を介してミッションケース１２の図示しない入力軸に伝えられる。
【００２４】
苗植付部４は、走行車体２のメインフレーム１５に昇降リンク装置３で昇降自在に装着されているが、その昇降させる構成と苗植付部４の構成について説明する。先ず、走行車体２に基部が回動自在に設けられた一般的な油圧シリンダー４６（図１）のピストン上端部を昇降リンク装置３に連結し、走行車体２に設けた油圧ポンプ４９（図４，図５）により油圧シリンダー４６に圧油を供給・排出して、油圧シリンダー４６のピストンを伸進・縮退させて昇降リンク装置３に連結した苗植付部４が上下動されるように構成されている。
【００２５】
図３（ａ）の平面図（展開図）には、図１の乗用型田植機の操向操作に連動する後輪１１のサイドクラッチ作動機構図を示し、図３（ｂ）には、図３（ａ）の側面図を示す。また、図４には、図３（ｂ）のミッションケース１２周辺の拡大図を示し、図５には、図３（ａ）の平面図に油圧式無段変速装置２３を図示した場合を示している。  
左右の後輪１１の伝動軸のサイドクラッチ操作アーム８６Ｉを作動させるクラッチ連動用の左右ロッド１８０がミッションケース１２の左右両側に設けられ、該クラッチ連動用の左右ロッド１８０とサイドクラッチ操作アーム８６Ｉは左右のプルシリンダ２１７を介して連結している。
【００２６】
左右のサイドクラッチ操作アーム８６Ｉは、前記左右のプルシリンダ２１７（旋回時にシリンダ２１７を引き、旋回内側の後輪１１の伝動軸のサイドクラッチを切る）作動制御用のサイドクラッチ制御用電磁バルブ２２１（図４，図５）を備えている上記構成を用いて、ハンドル３４を一定角度回転させた後に、一つは継続して前記サイドクラッチを切り又は入りにする制御（Ａ）ともう一つは一定周期で前記サイドクラッチを接続／切断する制御（Ｂ）に切替え選択可能にした。制御（Ａ）は標準用であり、制御（Ｂ）は湿田用である。ハンドル３４を操作するとトルクジェネレータ（パワーステアリング）３７（図１５にも図示）によって旋回内側のプルシリンダ２１７を作動させてサイドクラッチを切り（又は入り）にする。これらサイドクラッチ操作アーム８６Ｉ、クラッチ連動用の左右ロッド１８０、プルシリンダ２１７、サイドクラッチ制御用電磁バルブ２２１などをステアリング機構と言う。
【００２７】
上記した実施例では、ステアリングハンドル３４の所定角以上の操作により、旋回内側の後輪１１のサイドクラッチ（図示せず）を切る例を示したが、サイドクラッチスイッチを作業モニタ装置に備えた操作盤３３（図２）に設けておき、手動でサイドクラッチの「切」が可能な構成にしても良い。または、サイドクラッチペダルにより、手動でサイドクラッチの「切」が可能な構成にしても良い。
【００２８】
次に、後進時に苗植付部４を自動的に上昇させる制御構成について説明する。先ず、図６に示すように、チェンジレバー９０（前後進レバー）を後進速に操作すると、チェンジレバー９０の基部に設けた接当片１９０が接当してオンになるバックリフトスイッチ１９１が設けられており、制御装置１６３（図７）の苗植付装置上昇手段により電磁油圧バルブ（昇降バルブ）１６１を作動させる電磁ソレノイドを制御して油圧シリンダー４６にて苗植付部４を最大位置まで上昇させるように構成されている。
【００２９】
このように、チェンジレバー９０を後進速に操作すると、自動的に苗植付部４を最大位置まで上昇させるように構成しておくと、圃場の畦際で機体を旋回させるため等に機体を畦に向かって後進させる時に、自動的に苗植付部４は最大位置まで上昇しているので、苗植付部４が畦に衝突して破損することが未然に防止でき作業性が良い。
【００３０】
次に、旋回時に苗植付部４を自動的に上昇させる制御構成について説明する。前記ステアリングハンドル３４を左右何れかに２００度回転させた時に自動リフト切替スイッチ１９２（図１４）をオンにすると、制御装置１６３の苗植付部上昇手段により電磁油圧バルブ１６１を作動させる電磁ソレノイドを制御して油圧シリンダー４６にて苗植付部４を最大位置まで上昇させるように構成されている。
【００３１】
このように、畦際で機体を旋回させるためにステアリングハンドル３４を左右何れかに最大限まで回転させると、自動的に苗植付部４は最大位置まで上昇するので、機体旋回時に苗植付部４を上昇させる操作が不要となり、能率良く機体旋回が行えて作業性が良い。
【００３２】
操作盤３３には、苗植付部４の自動上昇を行わせる状態と行わせない状態とに切替える自動リフト切替スイッチ１９２（図７，図１４）が設けられており、自動リフト切替スイッチ１９２を自動にしていると、上記のようにバックリフトスイッチ１９１がオンになるか自動リフト切替スイッチ１９２がオンでステアリングハンドル３４を左右何れかに２００度回転すると自動的に苗植付部４は制御装置１６３の苗植付装置上昇手段により自動上昇される。そして、自動リフト切替スイッチ１９２をオフにしていると、バックリフトスイッチ１９１がオンになってもステアリングハンドル３４を左右何れかに２００度回転しても苗植付部４は自動上昇されない。
【００３３】
このように、一つの自動リフト切替スイッチ１９２で、バックリフトスイッチ１９１がオンになっても自動リフト切替スイッチ１９２がオフであればステアリングハンドル３４を左右何れかに２００度回転しても苗植付部４は自動上昇されない状態にすることができるので、バックリフトとオートリフトの各々を入り切りするスイッチを別々に設けた構成よりも簡潔な構成となり、一つのスイッチで両者の状態切替えが行えるので、操作ミスが少なくなり作業性が良い。
【００３４】
なお、自動リフト切替スイッチ１９２をオフにして、バックリフトスイッチ１９１がオンになってもステアリングハンドル３４を左右何れかに２００度回転しても苗植付部４が自動上昇しない状態にしておくと、機体を後進で納屋等にしまう時にチェンジレバー９０を後進速に操作しても苗植付部４が自動上昇しないので、苗植付部４を下げたまま後進することができ、納屋の入口上部や納屋内の他の部材に苗植付部４をぶつけてしまうような事態が回避できる。また、扇型やひょうたん型等の変形圃場で畦際に沿って周り植えをする場合に、曲がった畦に沿ってステアリングハンドル３４を回しながら植付け作業を行うが、この時に、自動リフト切替スイッチ１９２を自動位置にしていると、ステアリングハンドル３４を左右何れかに２００度以上回転すると自動的に苗植付部４が上昇してしまい植付け作業が行えないが、自動リフト切替スイッチ１９２をオフにしていると、ステアリングハンドル３４を左右何れかに２００度以上回転しても苗植付部４は上昇しないので植付け作業が行え、変形圃場でも適切に苗植付け作業が行える。
【００３５】
また、上記構成からなる乗用型田植機１では、本実施例の制御装置１６３は旋回内側の後輪１１のドライブシャフト（伝動軸）（図示せず）の回転数の検出に基づいて、旋回時の苗植え付けなどの諸作動を自動的に行わせる旋回連動制御ができる。この制御モードを自動植付開始モードということがあるが、特に、旋回内側の後輪１１が所定角度以上操舵されているときに、前記旋回連動制御ができる。
【００３６】
旋回後の苗の植始め位置の設定を後輪の回転数に基づいて自動的に行う制御モード（自動植付開始モード）の設定ができ、この制御モード設定は旋回開始タイミングをハンドル３４の旋回角度（切れ角）センサ１９３で検知し、該旋回角度センサ１９３で検知した旋回開始時からの走行距離を車輪（旋回内側の後輪１１の伝動軸）の回転数センサ２０５の検出値に基づき測定し、前記走行距離が所定値に達すると苗植付レバー１９（図２）の操作をしなくても、自動的に苗の植え付けを開始する自動植付開始モードである。
【００３７】
この制御の考え方を図８と表１に示す。
【表１】
2010094060.tif 000003
【００３８】
すなわち、ステアリングハンドル３４を切り、旋回内側の後輪１１のサイドクラッチが切れた状態で、左右ドライブシャフトの回転数を検出し、旋回時の内側の後輪１１の伝動軸回転数が設定値Ｎ１を超えると苗植付部４を下降させる。その後、後輪１１の伝動軸回転数が設定値Ｎ２と苗植付け具１２６の作動が「切り」状態に入って（＝苗植付装置５２が上げ状態に移って）からステアリングハンドル３４の切り操作開始までの後輪１１の伝動軸の回転数ｎの合計値以上になると植付「入り」にする機構である。
【００３９】
上記旋回連動制御のフローを図９に示す。  
まず、左右の後輪１１，１１の伝動軸の回転数を伝動軸回転数センサ２０５で検出し、また設定値Ｎ１（旋回開始から機体９０°旋回までの旋回内側の後輪１１のドライブシャフト（伝動軸）回転信号設定値）、Ｎ２（機体９０°旋回から植付クラッチ「入り」までの前記ドライブシャフト回転信号設定値）、θ１（（直進操作時のハンドル切り設定角度の）下限値（左旋回と判断する角度））、θ２（（直進操作時のハンドル切り設定角度の）上限値（右旋回と判断する角度））をセットする。
【００４０】
次いで、圃場の硬軟や水深、耕盤深さ（圃場深さ）等の圃場条件の相違に対応するために、前記回転数Ｎ１、Ｎ２及びハンドル切り角度θ１、θ２の各設定値を調節する設定ダイヤル２０６ａ〜２０８ｂ（図７）により、補正値ｎ０を設定する。
【００４１】
苗植付部４の苗植付け具１２６が苗の植え付け状態にあるか無いかをフィンガーレバー１６６（苗植付部４の駆動の入り切り操作をしたり、苗植付部４の昇降操作をしたりできるレバー）の操作に伴う制御装置１６３の状態で検出して、植付「入」から植付「切」になったとき、苗植付け具１２６の作動が「入り」状態に入ってから苗植付け具１２６の作動が「切り」状態になるまでの後輪１１の伝動軸の回転数ｎを旋回内側の伝動軸回転数センサ２０５で検出して、その値（ｎ）を記憶しておく。次いで、ステアリングハンドル３４の切り角度（操舵角度）θをステアリングハンドル３４のシャフトに設けたハンドル切れ角センサ（ポテンショメータ）１９３（図７）で検出して直進時（θ１＜θ＜θ２）以外の時には左右のいずれの方向に旋回中であるかどうかを検出する。
【００４２】
左旋回中であると左後輪１１の伝動軸の回転数を検出して、回転数ｎ１がｎ１≧Ｎ１＋ｎ０になると、旋回開始から機体が９０度以上旋回したことになるので苗植付部４を下げる。この苗植付部４の下降で枕地が均平化される。また、機体を９０度旋回させた後には、ハンドル３４の旋回度合いを緩めながら前進させ、左後輪１１の左右ドライブシャフトの回転数ｎ２がｎ２≧Ｎ２＋ｎ＋ｎ０になると、苗植付け具１２６を作動させて苗の植え付けを開始させる。
【００４３】
本実施例の乗用型田植機１では、自動植付開始モードが設定された時にのみ自動的に制御装置１６３によって、旋回外側の後輪１１の回転数に応じて旋回内側の後輪１１の駆動を断続的にサイドクラッチを伝動する断続的入り切り制御機能（Ｂ１）（上記制御（Ｂ）に対応するもので、間欠サイドクラッチ制御という）を作動させることができる。
【００４４】
このように間欠サイドクラッチ制御を行うことにより、ブレーキングによる衝撃も少なく、エンジン回転や車速の影響を受けずに後輪１１の旋回角度に応じたブレーキングの周期を得ることができる。前記旋回内側の後輪１１のクラッチをオン／オフする間欠サイドクラッチ制御において、車速が遅ければ遅い程クラッチをオン／オフする周期を短く、速ければ速いほどクラッチをオン／オフする周期を長くすることで、オペレータに旋回時の違和感がないブレーキングを行うことができる。  
例えば、車速０ｍ／ｓで旋回内側の後輪１１の伝動軸のサイドクラッチ（図示せず：クラッチ操作アーム８６Ｉなどにより行う）の作動周期（オン／オフを含む）が０．５秒、車速０．５ｍ／ｓで前記サイドクラッチ作動周期（オン／オフを含む）が１．０秒、車速１．０ｍ／ｓで前記サイドクラッチ作動周期（オン／オフを含む）が１．５秒となるように一次関数的に車速に応じて旋回内側の後輪１１の伝動軸のサイドクラッチ作動周期を変更する。
【００４５】
高速走行時は特に後輪１１の伝動軸のクラッチをオンするときでも、オフするときでも衝撃が大きい。そこで上記のように、間欠サイドクラッチ制御による衝撃を少なくするために、高速走行時ほど間欠サイドクラッチ制御（クラッチ操作アーム８６Ｉなどにより行う）のオン／オフの周期を長めにする。  
本実施例の８条植の乗用型田植機１のように、大型の走行車両は旋回時には比較的大回りをする必要がある。しかし、旋回中に旋回内側の後輪１１の伝動軸のサイドクラッチを切ったままでおくと、小回りになり過ぎる。しかし、本実施例のように    そこで旋回内側の後輪１１の伝動軸を間欠サイドクラッチ制御すると、オペレータに旋回時の違和感がないブレーキングを行うことができ、オペレータの希望する適切な旋回半径で８条植の乗用型田植機１に相応しい比較的大回りの旋回が可能となる。
【００４６】
前記旋回内側の後輪１１の伝動軸のサイドクラッチの接続は、図１３に示すように操作盤３３に設けている間欠サイドクラッチ制御（ポンピングクラッチともいう）調節ダイヤル２１０で設定された回転数（回転角度）に旋回内側の後輪１１の回転数が達するまでなされる。  
間欠サイドクラッチ制御調節ダイヤル２１０は、後輪回転角度（＝後輪１１の伝動軸の回転角度）で１１度〜２７度の間で調整を行う。なお、前記間欠サイドクラッチ制御調節ダイヤル２１０を後輪１１（後輪１１の伝動軸）の回転角度でなく、後輪１１の伝動軸作動用のクラッチ（図示せず）の作動時間、例えば２１０ｍｓから５１０ｍｓまでの時間で設定できる構成にして、この間欠サイドクラッチ制御調節ダイヤル２１０で設定された時間の間、旋回内側の後輪１１の伝動軸のサイドクラッチ（図示せず）が接続される構成としても良い。  また、路上走行などで高速走行しているときには、間欠サイドクラッチ制御を選択すると、大回り旋回になり易く、そのためむしろハンドリングに違和感があるので、路上走行などの高速走行中には、前記間欠サイドクラッチ制御は不要である。そこで、走行車両が一定車速、例えば１．０ｍ／ｓ以上で高速走行しているときには、間欠サイドクラッチ制御が行われないようにしている。
【００４７】
本実施例の乗用型田植機１において、ステアリングハンドル３４を回して旋回する場合に、旋回外側の後輪１１の回転数（ａ１）に応じて旋回内側の後輪１１の回転数（ｂ１；ｂ１＜ａ１）を決めるように前記間欠サイドクラッチ制御を行う構成としても良い。  
この制御フローの具体実施例を図１０に示すが、ステアリングハンドル３４を回して旋回する場合に、旋回を始めてから旋回外側の後輪１１の回転数が所定値（ａ０）に達すると（この間は旋回「内」側後輪１１のサイドクラッチは「切」）、前記旋回「内」側の後輪１１のサイドクラッチを「入」にして、それから旋回「外」側の後輪１１が所定の回転数（ａ１）になるまで旋回「内」側の後輪１１のサイドクラッチを「入」にしておく。
【００４８】
また、前記旋回内側の後輪１１のサイドクラッチの「入」と「切」のタイミングは制御装置１６３が自動設定するが、図１１に示すタイムチャートのように旋回内側後輪１１のサイドクラッチの「切」に対応する旋回外側の後輪１１の回転数（ａ０）と旋回内側のサイドクラッチの「入」に対応する旋回外側の後輪１１の回転数（ａ１）を間欠サイドクラッチ制御調節ダイヤル２１０により手動で設定することもできる。  
この様な図１０のフローに示す制御を行うと湿田での作業性が従来より向上する。
【００４９】
また、図９に示す制御フローの設定値Ｎ１（旋回開始から機体９０°旋回までの旋回内側の後輪１１のドライブシャフト（伝動軸）回転信号設定値）、Ｎ２（機体９０°旋回から植付クラッチ「入り」までの前記ドライブシャフト回転信号設定値）を小さくするほど、旋回内側の後輪１１が深い圃場などにおいて深く沈み込んでいる場合など、苗の植え付け時の苗植付装置５２の下降を速く行いたい場合に有効である。
【００５０】
後輪１１が深く圃場に沈み込んでいる場合には昇降リンクセンサ４８で上リンク４０と下リンク４１の昇降の程度を検出することにより、苗植付部４の昇降の程度も検出できる。この昇降リンクセンサ４８は、上リンク４０の角度を検出するセンサであり、上リンク４０の上下回動範囲に亘って上リンク４０の角度を検出する。そして、この昇降リンクセンサ４８によって、圃場の深さ（耕盤深さ）を測定する。  
なお、昇降リンクセンサ４８は上リンク４０に設けても、下リンク４１に設けても良い。下リンク４１に設けると、下リンク４１の上下回動範囲に亘って下リンク４１の角度を検出する。昇降リンクセンサ４８は上リンク４０又は下リンク４１のいずれか一方に設ければ良く、どちらに設けても昇降リンク装置３のリンク角度を検出するものである。
【００５１】
そして、この場合の制御フローを図１２（ａ）に示し、図１２（ｂ）に旋回開始から機体９０°旋回までの旋回内側の後輪１１のドライブシャフト（伝動軸）回転信号設定値Ｎ１又は機体９０°旋回から植付クラッチ「入り」までの旋回内側の前記ドライブシャフト回転信号設定値Ｎ２の昇降リンクセンサ４８の検出値に対する値の関係を示す。
【００５２】
また、図９に示す自動植付制御モードにおいて、ステアリングハンドル３４の操作角度θ１（（直進操作時のハンドル切り設定角度の）下限値）、θ２（（直進操作時のハンドル切り設定角度の）上限値）による苗植付部４の上昇のタイミングを前記θ１、θ２の設定ダイヤル２０６ａ，２０６ｂで任意に変更可能なように構成することができる。  
上記構成により旋回制御中にオペレータが苗植付部４の上昇タイミングを任意に設定できるので自分のペースに合わせた作業性を行うことができる。
【００５３】
こうして、８条植えなどの多条植え用の乗用型作業機であっても、前回の植付条に一部重なった状態で苗の植え付けをするおそれなく圃場での旋回が可能となる。  
右旋回の場合にも左旋回時と全く同様の制御が行われる。
【００５４】
このようにサイドクラッチが切れている後輪１１の伝動軸（ドライブシャフト）の回転数を検出する方法は、動力の伝わっている後輪１１の回転数検出方法に比べてよりスリップなどの影響を受け難い特徴がある。また、後輪１１より回転の速いドライブシャフトの回転数を検出するため、容易にその測定精度を上げることができる。その結果、各植え付け条毎の苗の植え付け始めがほぼ一定（枕地幅が一定）となる効果がある。
【００５５】
また、上記図９に示す一連の旋回制御の諸動作を行う旋回制御のスタートボタン（スイッチ）１８４を上記苗植付のスタート位置の設定を行うボタンとして兼用してもよい。  
このように、畦際から発進して苗植付のスタート位置の設定を行うボタンと前記一連の旋回制御の諸動作を行う旋回制御のスタートボタン（スイッチ）１８４を兼用することによりボタン操作の忘れを防止できる。
【００５６】
前記自動植付開始モードの設定は植始め調節ダイヤル２１２（図１４）で行い、また前記旋回開始時からの苗の植付け始めまでの走行距離は、図１４に示す植始め調節ダイヤル２１２を回して設定する。  
前記植始め調節ダイヤル２１２の回転角度に応じて前記走行距離を適宜選択できる構成であるが、該ダイヤル２１２の前記走行距離の調節範囲より外れたダイヤル旋回角度領域（しかも自動植付開始モードに入る前のダイヤル旋回角度領域）に、車両の旋回開始時に自動的に苗植付装置４を上昇させる制御モードを選択できるオ−トリフト機能及び車両の後進時に自動的に苗植付装置４を上昇させる制御モードを選択できるバックリフト機能を兼用させている。
【００５７】
そして、植始め調節ダイヤル２１２のダイヤル回転操作でオ−トリフト機能に対応した位置に植始め調節ダイヤル２１２の指示部が「オートリフト」と指示された位置に至ると、当該オートリフト機能がオンになり、オートリフト制御モードが開始すると同時に前記間欠サイドクラッチ制御を開始する制御モードを採用することもできる。
【００５８】
これは湿田での旋回走行中では、車輪１０，１１がスリップし易く、自動植付開始モードで苗の植え付け開始位置が予定した位置になり難いため、前記間欠サイドクラッチ制御を選定するが、このときのみ連動して間欠サイドクラッチ制御をすることができる。  
こうしてスリップし易い条件下での車両の旋回走行を容易に行うことができるようになる。
【００５９】
また、自動植付開始モードが設定されていない時、例えば路上走行時には前記間欠サイドクラッチ制御をしないで、旋回内側の車輪（後輪１１）の伝動軸のサイドクラッチを継続的に切りながら旋回する通常の旋回モード（上述の継続して前記サイドクラッチを切り又は入りにする制御（Ａ）に対応するもので、継続的入り切り制御機能Ａ１とも言う）とすることもできる。
【００６０】
昇降バルブ１６１の下げＰＷＭ（Ｐｕｌｓｅ  Ｗｉｄｅ  Ｍｏｄｕｌａｔｉオン）制御時の騒音の対応策として次のような構成を採用することができる。すなわち、図１５に示す油圧回路図において昇降バルブ１６１より昇降シリンダ４６側にあるチェックバルブ１６２のスプールの後方から出る作動油を利用して、スプールがストロークしすぎるとスプールのポートを閉める構成でダンパー効果を得るようにして昇降バルブ１６１の下げＰＷＭ制御時の騒音を小さくする。
【００６１】
現行の前記チェックバルブ１６２では、昇降バルブ１６１の下げのＰＷＭ制御時にスプールが高速にプラグ等に当たることにより騒音が発生する。個々の部品の精度などの違いにより大きな音が発生するものがあり問題となっているが、騒音が発生する箇所としてチェックバルブ１６２のスプールがそのストッパになっているプラグに当たる時に大きい音となることが分かったのでチェックバルブ１６２のスプールがプラグに当たる前にポートを閉めてダンパー効果によりプラグに当たらないようにして騒音の発生を防ぐことができた。
【００６２】
そして、本実施例による乗用型田植機１の制御装置１６３によれば、サイドクラッチ操作アーム８６Ｉ、クラッチ連動用の左右ロッド１８０、プルシリンダ２１７、サイドクラッチ制御用電磁バルブ２２１などのステアリング機構に連動して旋回内側の後輪１１の駆動を入り又は切りにする継続的入り切り制御機能（Ａ１）と伝動軸回転数センサ２０５により検出される旋回外側の後輪１１の回転数に応じて旋回内側の後輪１１の駆動を断続的に入／切する断続的入り切り制御機能（Ｂ１）（上述の間欠サイドクラッチ制御のことである）とを圃場の深さに応じて選択する処理を行う入り切り制御選択機能を有することを特徴としている。
【００６３】
圃場の深さ（耕盤深さ）は、昇降リンク装置３に設けた圃場深さ測定手段である昇降リンクセンサ４８（回転ポテンショメータなど）によって検出、測定できる。乗用型田植機１の旋回時において、圃場の深さに応じて継続的入り切り制御機能（Ａ１）又は間欠サイドクラッチ制御（断続的入り切り制御機能（Ｂ１））を選択する処理が制御装置１６３により行われるため、圃場深さに応じた作業車両の走行旋回の細かい制御が可能となる。
【００６４】
例えば、圃場の深さが浅い場合には、継続的入り切り制御機能（Ａ１）を機能させて小回り旋回を可能とし、圃場の深さが深い場合には、間欠サイドクラッチ制御（Ｂ１）を機能させることで旋回内側の後輪１１を適宜駆動回転させることにより、旋回内側の後輪１１が移動して圃場の同じ箇所で操向しにくくなり、旋回半径を大きくとって圃場の荒らしを軽減できる。
【００６５】
したがって、このように圃場深さに応じた継続的入り切り制御機能（Ａ１）又は間欠サイドクラッチ制御（Ｂ１）が選択されることで、旋回内側の後輪による圃場の荒らしの軽減を図ることができる。  
また、継続的入り切り制御機能（Ａ１）又は間欠サイドクラッチ制御（Ｂ１）の選択は、昇降リンクセンサ４８により測定される圃場深さに応じて制御装置１６３によって自動的に行われるため、オペレータが継続的入り切り制御機能（Ａ１）又は間欠サイドクラッチ制御（Ｂ１）を選択操作する必要もなく、オペレータの負担軽減が図れる。
【００６６】
そして、前記入り切り制御選択機能により間欠サイドクラッチ制御（Ｂ１）が選択された場合に、昇降リンクセンサ４８により測定される圃場深さが深いほど、間欠サイドクラッチ制御（Ｂ１）の一定周期の中で旋回内側の後輪１１のサイドクラッチの入り時間を長くして、すなわち一定周期の中の駆動の入り時間を長くする処理を行うことを特徴とする。
【００６７】
本構成を採用することにより、圃場の深さが深い旋回では、前記間欠サイドクラッチ制御（Ｂ１）の後輪１１の駆動の入り時間を長くして、後輪１１が制動される時間を長くすることで、より旋回半径を大きくとることができ、旋回内側の後輪１１が一箇所に停滞しにくく移動し易くなり、圃場の一箇所をひどく荒らすことがなくなる。
【００６８】
一方、圃場の深さが浅い場合には、前記間欠サイドクラッチ制御（Ｂ１）の後輪１１の駆動の入り時間を短くすることで、制動される時間を短くして小回り旋回が可能となり、作業性が損なわれない。  
したがって、このように圃場深さに応じたきめの細かい制御が可能となる。
【００６９】
図１６には、制御装置１６３による圃場の深さに応じたサイドクラッチの入り時間の制御例のイメージを示す。横軸は圃場（耕盤）の深さを示し、縦軸はサイドクラッチの入り時間を示している。  
例えば、図１６に示すように、圃場の深さとサイドクラッチの入り時間との関係が、直線Ｙ、Ｚで表されるような関係になるように制御装置１６３によって制御する。超湿田などの圃場の深さが深い場合は直線Ｚで示すように、圃場の深さが深くなるほどサイドクラッチの入り時間を長くして、圃場の深さが標準的である場合は、直線Ｙで示すように圃場の深さに関係なくサイドクラッチの入り時間が一定となるように制御装置１６３によって制御する。
【００７０】
圃場の深さが標準的であれば、旋回によってあまり圃場を荒らさなくてもすむので、少々の圃場の深さの変動があっても、所望の旋回経路となるような所定のサイドクラッチの入り時間に固定しても良い。  
特に圃場の深さが深い場合に、圃場の深さが深くなるほどサイドクラッチの入り時間を長くするように制御すれば十分である。このように、圃場の深さが深いほど旋回内側の後輪１１の駆動の入り時間を長くすることで旋回内側の後輪１１が駆動されて旋回半径を大きくとることで旋回内側の後輪１１が一箇所に停滞しにくく移動し易くなり、圃場の一箇所をひどく荒らすことがなくなる。
【００７１】
また、間欠サイドクラッチ制御（Ｂ１）はこのように旋回外側の後輪１１と内側の後輪１１の回転数比によってサイドクラッチを入り切りする構成であるが、伝動軸回転数センサ２０５が異常値を検出する異常時（例えば、伝動軸回転数センサ２０５が断線したりしたとき）はサイドクラッチを接続する（サイドクラッチを入りにする）ように制御装置１６３によって制御すれば、作業性の向上が図れる。
【００７２】
仮に、旋回外側の伝動軸回転数センサ２０５が断線して極端な異常値となったとき、その極端な異常値に基づいて間欠サイドクラッチ制御（Ｂ１）が制御されると、予期していない旋回（小回りしすぎ、サイドクラッチ入り切りが頻繁で乗り心地が悪い等）になるおそれがある。  
したがって、本構成を採用することにより、伝動軸回転数センサ２０５が仮に故障しても、サイドクラッチを接続することでそれなりに作業を継続できる。
【００７３】
また、乗用型田植機１の機体が前後や左右に一定以上傾いているときには制御装置１６３によって間欠サイドクラッチ制御（Ｂ１）を選択する制御が行われないようにする。すなわち、継続的入り切り制御機能（Ａ１）になる。  
機体が前後や左右に一定以上傾いているときに間欠サイドクラッチ制御（Ｂ１）が作動すると、オペレータの意思に関係なくサイドクラッチが切れたり入ったりして機体の操向状態が変わってしまい、傾斜地ではバランスを崩しやすい。したがって、オペレータの意思とは無関係にサイドクラッチの入り切りが制御されて安全性上好ましくないが、本構成によりオペレータの意思に基づき旋回制御できるので安全性の向上を図ることができる。
【００７４】
更に、本実施例の乗用型田植機１には、左右のサイドクラッチ又はサイドブレーキ（図示せず）を左右個別に操作できる操作具として左右のブレーキペダル１１１，１１１（図３，図４）を設けているが、左右のブレーキペダル１１１，１１１の連結中にも制御装置１６３によって間欠サイドクラッチ制御（Ｂ１）を選択する制御が行われないようにする。
【００７５】
左右のブレーキペダル１１１，１１１が連結中（又は連結中でない）であることを検出するブレーキペダル連結センサ１１４をブレーキペダル１１１，１１１近傍に設けて、ブレーキペダル連結センサ１１４からの検出値によって間欠サイドクラッチ制御（Ｂ１）の作動の有無を制御装置１６３により選択する。
【００７６】
図３に示すように、左右のブレーキペダル１１１，１１１は前端部上側が保持プレート１１３によって保持され、前端部下側が左右のブレーキペダル１１１，１１１を連結するための連結プレート１１５によって支持されている。そして連結プレート１１５の下面は、左右のブレーキペダル１１１，１１１の基部１１１ａ，１１１ａに連結しており、ブレーキペダル基部１１１ａ，１１１ａの先端はアーム１１６，１１７を介して第１ロッド１１９に連結している。ブレーキペダル１１１を矢印Ｐ方向に踏み込むと、アーム１１６はブレーキペダル基部１１１ａとアーム１１６との連結軸１１８を支点として矢印Ａ方向に回動してアーム１１７と共に第１ロッド１１９が上方（矢印Ｂ方向）に動く。
【００７７】
一方、ブレーキペダル１１１を矢印Ｐ方向とは反対方向に戻すと、アーム１１６は矢印Ａ方向とは反対の方向に回動してアーム１１７と共に第１ロッド１１９が下方（矢印Ｂ方向とは反対方向）に動く。このようにブレーキペダル１１１を操作することで、第１ロッド１１９は上下方向に動く。
【００７８】
左右一方の第１ロッド１１９は左右一方の中継アーム１３４に連結し、更に中継アーム１３４はカウンタ軸１３３に連結し、カウンタ軸１３３に連結した左右他方の中継アーム１３４から、カウンタロッド１３７、カウンタアーム１３９等を介してクラッチ連動用の左右一方のロッド１８０に繋がっている。また、左右他方の第１ロッド１１９は、中継アーム１３４、カウンタ軸１３３、カウンタロッド１３７などを介さずにカウンタアーム１３９からクラッチ連動用の左右他方のロッド１８０に繋がっている。
【００７９】
これら左右ロッド１８０はそれぞれプルシリンダ２１７，サイドクラッチ操作アーム８６Ｉに連結しており、第１ロッド１１９が上下に動くと、左右ロッド１８０が前後方向に動いて左右のサイドクラッチ操作アーム８６Ｉは左右ロッド１８０の動きに連動して回動する。
【００８０】
ブレーキペダル１１１を矢印Ｐ方向に踏み込むと、上述のように第１ロッド１１９が上方（矢印Ｂ方向）に動き、左右ロッド１８０は前方（矢印Ｃ方向）に引かれてサイドクラッチ操作アーム８６Ｉが矢印Ｕ方向に回動して、旋回内側の後輪１１の伝動軸のサイドクラッチが切れる。  
一方、左右のサイドクラッチ操作アーム８６Ｉは、左右のプルシリンダ２１７作動制御用のサイドクラッチ制御用電磁バルブ２２１を備えており、制御装置１６３からの出力信号によりサイドクラッチ制御用電磁バルブ２２１が作動して継続的入り切り制御機能（Ａ１）又は間欠サイドクラッチ制御（Ｂ１）が行われる。
【００８１】
左右のブレーキペダル１１１，１１１が連結中の時に、オペレータが一方又は両方のブレーキペダル１１１を操作すると、ブレーキングが行われる。しかし、左右のブレーキペダル１１１，１１１を連結している場合は、路上走行等のときであり、走行速度が速く、また傾斜地を走行することもあるから、より安全性を確保するために、間欠サイドクラッチ制御（Ｂ１）を作動させないようにする。  
したがって、本構成を採用することにより、オペレータの意思とは無関係に継続的入り切り制御機能（Ａ１）又は間欠サイドクラッチ制御（Ｂ１）が作動しないようにできるので、安全性の向上が図れる。
【００８２】
また、左右のブレーキペダル１１１，１１１の操作の動きを感知するセンサ（ポテンショメータ）１１２，１１２（図３）をそれぞれ設け、間欠サイドクラッチ制御（ポンピングクラッチ）調節ダイヤル２１０により手動で設定した手動旋回時に、オペレータの操作パターンを制御装置１６３に記憶させるようにしても良い。  
これは、旋回時のポテンショメータ１１２，１１２の操作パターンを記憶するものであるが、ハンドル切れ角センサ１９３により旋回を開始したことを検出してから、ハンドル切れ角センサ１９３により旋回を終了したことを検出するまでの間、制御装置１６３に入力される旋回内側の伝動軸回転数センサ２０５の累計回転数検出値に対応する旋回内側のポテンショメータ１１２，１１２の検出値を自動的に記憶することになる。
【００８３】
そして、手動旋回時の制御装置１６３に記憶したパターン通りに、次工程では自動で間欠サイドクラッチ（Ｂ１）（旋回内側の後輪１１の駆動を断続的に入／切する）を制御するような構成としても良い。なお、パターンはオペレータの好みによって、色々なパターンがあり、要するに、ブレーキペダル１１１，１１１を踏んだり緩めたりする操作のことである。  
オペレータが手動で操作したパターンによって自動旋回することでオペレータにとっても乗り心地が良く、操作性に優れ、湿田などの圃場深さの深い条件でも旋回性が良い。    更に、上述のブレーキペダル１１１の操作パターンを機体の旋回時に記憶し、この操作パターンに基づいて以降の旋回時に自動的にサイドクラッチ又はサイドブレーキを制御する構成において、この制御における前記操作パターンの記憶をする状態としない状態とに切り替える切替手段を設けても良い。  
上記操作パターンを教え込む工程を制御装置１６３に認識させるために、上記切替手段として手動スイッチ（ティーチングボタン）（図示せず）をハンドル３４近傍に配置する。  まず、ティーチングボタンを押して旋回した工程（ペダルを踏んだり緩めたりする操作パターン）を制御装置１６３に記憶させる。  
再度、ティーチングボタンにより制御装置１６３に新たな工程を記憶させるまで、現在記憶されている記憶パターンで自動旋回する構成である。
【００８４】
本構成を採用することにより、制御装置１６３に記憶した基本の操作パターンに基づいて、以降の旋回時の制御を行うことができ、操作性が良好である。例えば、耕盤が深い所等での特殊な旋回時は、操作パターンを記憶しないようにできる。  
そして、オペレータの操作パターンを更新記憶できることで、オペレータにとっても操作性が良い、より細かい制御が可能となる。
【００８５】
また、左右のサイドクラッチを左右のブレーキペダル１１１，１１１の操作に基づいてサイドクラッチを制御する構成において、左右のブレーキペダル１１１，１１１をサイドクラッチの切り側に大きく操作したときは、少なくとも間欠的に作動するサイドクラッチ（間欠サイドクラッチ）の切り時間を長くする。  
このように、サイドクラッチの切り時間を長くすることにより、後輪１１が駆動しないので、サイドブレーキ装置を設けなくても、サイドブレーキを作動させたような状態に近づけることができ、オペレータが違和感なく旋回操作できる。
【００８６】
本構成を採用することにより、オペレータがブレーキペダル１１１を最大操作位置まで踏み込んだときは、間欠サイドクラッチ制御（Ｂ１）のサイドクラッチの入り切り時間の設定を変えて、自動旋回時の一定周期の中のサイドクラッチの切り時間を長くすると、オペレータの旋回操作の感覚に、より近付くため、好適である。
【００８７】
図１７には、本実施例の乗用型田植機１の苗植付部４の油圧式装置（図１５の油圧バルブ系）の側面図を示す。更に、図１８から図２１には、図１７の油圧式装置の油圧バルブ４７本体部分の側断面図を示す。なお、図１８には苗植付部４が中立位置（苗植付部４が昇降しない固定状態の位置）の時の状態を示し、図１９には苗植付部４が上昇する（上げ時）の全流量時（苗植付部４が油圧ポンプ４９の全流量で速く上昇する時）の状態を示し、図２０には苗植付部４が上げ時の制御流量時（苗植付部４が油圧ポンプ４９の一部の流量（制御流量）で遅く上昇する時）の状態を示し、図２１には苗植付部４が下降する（下げ時）の状態を示している。
【００８８】
図２６に示す従来の苗植付部の油圧式装置では、フロコンスプール１２１の専用プラグ１２０をフロコンスプール１２１の当て止めとして、別箇所にリリーフ用のバルブを配置していたため、各部材の形状が大きくなって、油圧式装置の大型化を招いていた。  
しかし、図１８に示すように、油圧式装置のフロコンスプール１２１をカートリッジ型リリーフバルブ１２５により当て止めとなるようにすることで、フロコンスプール１２１及びカートリッジ型リリーフバルブ１２５をまとめて配置して、コンパクトな構成となる。
【００８９】
カートリッジ型リリーフバルブ１２５は、封止スプール１２４の周囲にポペット・スプリング１２７を設け、調整ネジ１３０にポペット・スプリング１２７及び封止スプール１２４を嵌合させて調整ネジ１３０を回すことで、フロコンスプール１２１が矢印Ｓ方向（前後方向）に移動する。なお、調整ネジ１３０とフロコンスプール１２１の作動は直接関係せず、フロコンスプール１２１は支持部材１２９をストッパとして作動する。Ｏリング溝１３２は支持部材１２９の内側を加工している。
【００９０】
このように、従来の油圧式装置のリリーフ部のポペット・スプリング１２７を共用してカートリッジ型リリーフバルブ１２５を構成することで、既存のポペット・スプリング１２７が利用でき、構成が簡易となる。また、経済的でもある。  
そして、従来、図２６に示すようにＯリング溝１３２は調整ネジ１３０（図２６の専用プラグ１２０）の外周側にあったが、Ｏリング溝１３２が調整ネジ１３０の外周側にあると、調整ネジ１３０の外径が大きくなり、支持部材１２９の肉厚が確保できない。しかし、図１８に示すように、調整ネジ１３０のネジを切っていない部分にＯリング溝１３２を設けることで、支持部材１２９の肉厚が確保できる。
【００９１】
また、操作アーム１３１（図１７）を矢印Ｊ方向に回すことで油路流路の切替スプール１２３が矢印Ｓ方向（前後方向）に移動して、図１８から図２１に示すような油路流路を形成する。なお、操作アーム１３１はモータ（図示せず）の駆動で作動する。モータはフィンガーレバー１６６の操作に基づいて駆動する。
【００９２】
図１８から図２１について説明する。本実施例の乗用型田植機１の苗植付部４の昇降用油圧式装置はＰポート１４０と四つのＴポート１４１，１４２，１４３，１４４、Ｃポート１４５があり、更に追加Ｔポート１４７を設けている。  
図１８に示すように、苗植付部４が中立位置の時は、Ｐポート１４０から矢印Ａ方向と矢印Ｂ方向の二つの流路に分かれて第２Ｔポート１４２に油路が通じる。そして、苗植付部４が上げ時の全流量時では、操作アーム１３１を操作することで、苗植付部４が速く上昇する。
【００９３】
図１９に示すように、苗植付部４が上げ時の全流量時では、切替スプール１２３が中立時に比べて後ろ側に移動してＰポート１４０から矢印Ｃ方向と矢印Ｄ方向の二つの流路に分かれてＣポート１４５に油路が通じる。また、図２０に示すように、苗植付部４が上げ時の制御流量時では、操作アーム１３１を操作することで  苗植付部４が遅く上昇する。この時切替スプール１２３は図１８の中立時と図１９の全流量時との間の位置に留まってＰポート１４０から矢印Ｅ方向と矢印Ｆ方向の二つの流路に分かれて矢印Ｅ方向からはＣポート１４５に油路が通じ、矢印Ｆ方向からは第２Ｔポート１４２に油路が通じる。
【００９４】
更に、図２１に示すように、苗植付部４が下げ時では、操作アーム１３１を操作することで切替スプール１２３が中立時に比べて前側に移動する。そして、Ｐポート１４０から矢印Ｇ方向と矢印Ｈ方向と矢印Ｉ方向の三つの流路に分かれて矢印Ｇ方向と矢印Ｈ方向からは第２Ｔポート１４２に油路が通じ、矢印Ｉ方向からは第１Ｔポート１４１に油路が通じる。更にＣポート１４５から矢印Ｋ方向に流れて第４Ｔポート１４４に油路が通じる。
【００９５】
図２２には、粉粒体繰出し装置及び整地ロータを設けない場合の乗用型田植機１に圃場面センサ１５０を設けた乗用型田植機の後部側面図を示す。なお、図２２には粉粒体繰出し装置は図示していないが、粉粒体繰出し装置を設けても良い。  
また、圃場における水面Ｒの表面を検出する圃場面センサ１５０をリンクベースフレーム４２の上部に取り付けた側面視Ｌ字型の支持アーム１４９の先端に設ける。また、圃場面センサ１５０から圃場面Ｍまでの距離は昇降リンクセンサ４８から測定できる。
【００９６】
圃場面センサ１５０から耕盤Ｏまでの距離Ｌｏは一定であるため、昇降リンクセンサ４８により圃場面センサ１５０から圃場面Ｍまでの距離Ｌｍを測定し、距離Ｌｏと距離Ｌｍから耕盤Ｏと圃場面Ｍ間の距離Ｌｓを算出する。
【００９７】
図２３には、圃場面センサ１５０及び昇降リンクセンサ４８から得られたセンサ値を用いた車速の制御のフローを示す。また、図２４（ａ）には昇降リンクセンサ４８のセンサ値と耕盤Ｏから圃場面Ｍまでの距離（Ｌｓ）との関係（Ｔ）を示す。図２４（ｂ）は図２４（ａ）に、更に昇降リンクセンサ４８のセンサ値と圃場面センサ１５０から圃場面Ｍまでの距離（Ｌｍ）との関係（点線Ｖ）を加えたものである。図２４（ｂ）に示すように、距離Ｌｏは一定であるため、距離Ｌｓが大きくなると反対に距離Ｌｍが小さくなり、距離Ｌｓが小さくなると反対に距離Ｌｍが大きくなる。
【００９８】
更に図２５（ａ）には、機体の沈下量である耕盤Ｏと圃場面Ｍ間の距離Ｌｓと補正係数αとの関係を示し、図２５（ｂ）には、水面Ｒから圃場面Ｍまでの距離（水深、Ｌｗで示す）と補正係数βとの関係を示している。補正係数αは、走行時の泥押しを防止するための補正係数であり、補正係数βは走行時の水押しを防止するための補正係数である。
【００９９】
図２３に示すように、車速制御がスタートすると、上述のように昇降リンクセンサ４８により圃場面センサ１５０から圃場面Ｍまでの距離Ｌｍを測定し、距離Ｌｏと距離Ｌｍから耕盤Ｏと圃場面Ｍ間の距離Ｌｓを算出する。更に、圃場面センサ１５０により圃場面センサ１５０から水面Ｒまでの距離Ｌｒを測定し、距離Ｌｍと距離Ｌｒから水深（Ｌｗ）を算出する。
【０１００】
次に、図２５により上記算出したＬｓ及びＬｗから補正係数α、βをそれぞれ算出後、該補正係数α、βによって補正処理し、適正な車速を計算する。車速ＶはＶ＝Ｖｍａｘ（最高作業速度）×α×βから求めることができる。補正係数α、βが大きい場合、すなわち距離Ｌｓや距離Ｌｗが小さい場合は車速Ｖは速くなるように制御されるが、補正係数α、βが小さい場合、すなわち距離Ｌｓや距離Ｌｗが大きい場合は車速Ｖは遅くなるように制御される。距離Ｌｓや距離Ｌｗが大きい場合は、水や泥に対する機体の沈下量が深いため、車速を遅く制御することでスリップを防止すると共に車輪１１やフロート５５による水押しや泥押しを防止する。
【０１０１】
すなわち、乗用型田植機１の前進により発生する波による苗の姿勢の乱れは、水深が深いと発生しやすいが、水深が深い場合は車速を遅く制御することで波の発生を抑制できる。  
本構成を採用することにより、機体の沈下量と圃場に水がある場合の水深（Ｌｗ）（圃場の硬軟とも関係している）から車速を制御することで、機体のスリップによる株間の変動や乗用型田植機１の前進により発生する波による苗の姿勢の乱れを防止できる。このように、圃場に水が存在する場合において、水深（Ｌｗ）が分かるため、波による苗押しなどを防止できる。
【産業上の利用可能性】
【０１０２】
本発明は、８条植などの多条の苗植付用作業機の旋回時の操作性がよいので乗用型田植機などの乗用型作業機に利用できる。
【図面の簡単な説明】
【０１０３】
【図１】本発明の実施例の乗用型田植機の側面図である。
【図２】図１の乗用型田植機の平面図である。
【図３】図３（ａ）は、図１の乗用型田植機の操向操作に連動する後輪のクラッチ作動機構図（平面図）であり、図３（ｂ）は、図３（ａ）の側面図である。
【図４】図３（ｂ）のミッションケース周辺の拡大図である。
【図５】図３（ａ）に油圧式無段変速装置を図示した場合の図である
【図６】図１の乗用型田植機のチェンジレバー部の斜視図である。
【図７】図１の乗用型田植機の制御ブロック図である。
【図８】図１の乗用型田植機の旋回連動制御の考え方を示す図である。
【図９】図８の旋回連動制御のフローチャートである。
【図１０】図１の乗用型田植機の旋回連動制御のフローチャートである。
【図１１】図１０の旋回連動制御時の旋回内側の車輪のサイドクラッチの入切り周期のタイムチャートである。
【図１２】図１の乗用型田植機の旋回連動制御時に車体が深く沈み込んでいる場合などで苗植付装置の下降を速くするためのフローチャート（図１２（ａ））と旋回内側の車輪の回転数設定値Ｎ１又は設定値Ｎ２の昇降リンクセンサの検出値に対する値の関係を示すグラフ（図１２（ｂ））である。
【図１３】図１の乗用型田植機の操作盤の間欠サイドクラッチ制御調節ダイヤル部分の平面図である。
【図１４】図１の乗用型田植機の操作盤の植始め調節ダイヤル部分の平面図である。
【図１５】図１の乗用型田植機の操向操作に連動する後輪のクラッチ作動用の油圧回路図である。
【図１６】図１の乗用型田植機の制御装置による圃場の深さに応じたサイドクラッチの入り時間の制御例である。
【図１７】図１の乗用型田植機の苗植付部の油圧式装置の側面図である。
【図１８】図１７の油圧式装置の油圧バルブ本体部分の側断面図である。
【図１９】図１７の油圧式装置の油圧バルブ本体部分の側断面図である。
【図２０】図１７の油圧式装置の油圧バルブ本体部分の側断面図である。
【図２１】図１７の油圧式装置の油圧バルブ本体部分の側断面図である。
【図２２】粉粒体繰出し装置を設けない場合の乗用型田植機の後部側面図である。
【図２３】圃場面センサ及び昇降リンクセンサから得られるセンサ値を用いた車速の制御のフローである。
【図２４】図２４（ａ）は、昇降リンクのセンサ値と耕盤Ｏから圃場面Ｍまでの距離（Ｌｓ）との関係を示す図であり、図２４（ｂ）は、更に圃場面センサから圃場面Ｍまでの距離Ｌｍを示した図である。
【図２５】図２５（ａ）は、図２２の乗用型田植機の機体の沈下量（Ｌｓ）と補正係数αとの関係を示す図であり、図２５（ｂ）は、図２２の乗用型田植機の水深（Ｌｗ）と補正係数βとの関係を示す図である。
【図２６】従来の油圧式装置の油圧バルブ本体部分の側断面図である。
【符号の説明】
【０１０４】
１  乗用型田植機                ２  走行車体
３  昇降リンク装置              ４  苗植付部
５  粉粒体繰出し装置            １０  前輪
１１  後輪                      １２  ミッションケース
１３  前輪ファイナルケース      １４  前輪アクスル
１５  メインフレーム            １８  後輪ギヤケース
１９  苗植付レバー              ２０  エンジン
２１  ベルト伝動装置            ２３  油圧式無段変速装置
２５  植付クラッチケース        ２６  植付伝動軸
２７（２７ａ，２７ｂ）  ロータ  ２８  施肥伝動機構
３０  エンジンカバー            ３１  座席
３２  フロントカバー            ３３  操作盤
３４  ハンドル                  ３５  フロアステップ
３６  リヤステップ              ３７  トルクジェネレータ
３８  予備苗載台                ４０  上リンク
４１  下リンク                  ４２  リンクベースフレーム
４３  縦リンク                  ４４  連結軸
４５  ケーブル                  ４６  昇降油圧シリンダー
４７  油圧バルブ                ４８  昇降リンクセンサ
４９  油圧ポンプ                ５０  苗植付伝動ケース
５１  苗載台                    ５１ａ  苗取出口
５１ｂ  苗送りベルト            ５２  苗植付装置
５３  ブロア用電動モータ        ５５  センターフロート
５６  サイドフロート            ５７  ミドルフロート
５８  ブロア                    ５９  エアチャンバ
６０  肥料ホッパ                ６１  繰出部
６２  施肥ホース                ６５  支持枠体
６５ａ  支持ローラ              ６５ｂ    両側辺部材
６６  梁部材                    ６６ａ  突出部
６７  支持アーム                ６８  ロータ支持フレーム
７０  駆動軸                    ７１  連結部材
７６，７７  リンク部材          ７８  スプリング
８１  ロータ上下位置調節レバー  ８２  折曲片
８６Ｉ  左右クラッチ操作アーム
９０  チェンジレバー（前後進レバー）
１１１  ブレーキペダル          １１１ａ  ブレーキペダル基部
１１２  ブレーキペダルセンサ（ポテンショメータ）
１１３  保持プレート            １１４  ブレーキペダル連結センサ
１１５  連結プレート            １１６，１１７  アーム
１１８  軸                      １１９  第１ロッド
１２０  専用プラグ              １２１  フロコンスプール
１２３  切替スプール            １２４  封止スプール
１２５  カートリッジ型リリーフバルブ
１２６  苗植付け具              １２７  ポペット・スプリング
１２９  支持部材                １３０  調整ネジ
１３１  操作アーム              １３２  Ｏリング溝
１３３  カウンタ軸              １３４  中継アーム
１３７  カウンタロッド          １３９  カウンタアーム
１４０  Ｐポート
１４１，１４２，１４３，１４４  Ｔポート
１４５  Ｃポート                １４７  追加Ｔポート
１４９  支持アーム              １５０  圃場面センサ
１６１  昇降バルブ              １６２  チェックバルブ
１６３  制御装置                １６６  フィンガーレバー
１８０  左右ロッド              
１８４  旋回制御のスタートボタン（スイッチ）
１９０  接当片
１９１  バックリフトスイッチ    １９２  自動リフト切替スイッチ
１９３  ハンドル切れ角センサ    ２０５  伝動軸回転数センサ
２０６ａ〜２０８ｂ  設定ダイヤル
２１０  間欠サイドクラッチ制御調節ダイヤル
２１２  植始め調節ダイヤル      ２１７  プルシリンダ
２２１  クラッチ制御用電磁バルブ  
Ａ１  継続的入り切り制御機能
Ｂ１  断続的入り切り制御機能（間欠サイドクラッチ制御）
【図１】
2010094060.tif 000004
【図２】
2010094060.tif 000005
【図３】
2010094060.tif 000006
【図４】
2010094060.tif 000007
【図５】
2010094060.tif 000008
【図６】
2010094060.tif 000009
【図７】
2010094060.tif 000010
【図８】
2010094060.tif 000011
【図９】
2010094060.tif 000012
【図１０】
2010094060.tif 000013
【図１１】
2010094060.tif 000014
【図１２】
2010094060.tif 000015
【図１３】
2010094060.tif 000016
【図１４】
2010094060.tif 000017
【図１５】
2010094060.tif 000018
【図１６】
2010094060.tif 000019
【図１７】
2010094060.tif 000020
【図１８】
2010094060.tif 000021
【図１９】
2010094060.tif 000022
【図２０】
2010094060.tif 000023
【図２１】
2010094060.tif 000024
【図２２】
2010094060.tif 000025
【図２３】
2010094060.tif 000026
【図２４】
2010094060.tif 000027
【図２５】
2010094060.tif 000028
【図２６】
2010094060.tif 000029